(57)【特許請求の範囲】
【請求項１】
非水系電解液を備えたリチウム二次電池の状態を検出する検出装置であって、
前記リチウム二次電池の１０Ｈｚ以下の所定周波数のインピーダンスを測定する測定部と、
前記リチウム二次電池を充電している期間中、前記測定部から前記リチウム二次電池の前記インピーダンスを入力し、入力した該インピーダンスが所定の閾値を超えたときには前記リチウム二次電池が異常充電状態であると判定する判定制御部と、
を備えた検出装置。
【請求項２】
前記測定部は、０．０１Ｈｚ以上の範囲の前記インピーダンスを測定する、請求項１に記載の検出装置。
【請求項３】
前記測定部は、０．１Ｈｚ以上の範囲の前記インピーダンスを測定する、請求項１又は２に記載の検出装置。
【請求項４】
請求項１〜３のいずれか１項に記載の検出装置であって、
充電用の外部電源と前記リチウム二次電池との間の電気的接続、遮断を切替可能なスイッチング部、を備え、
前記判定制御部は、前記リチウム二次電池が異常充電状態であると判定すると、前記電気的接続が遮断されるよう前記スイッチング部を制御する、検出装置。
【請求項５】
非水系電解液を備えたリチウム二次電池の状態を検出する検出方法であって、
前記リチウム二次電池の１０Ｈｚ以下の所定周波数のインピーダンスを測定する測定ステップと、
前記リチウム二次電池を充電している期間中、前記測定ステップで測定した前記リチウム二次電池の前記インピーダンスを入力し、入力した該インピーダンスが所定の閾値を超えたときには前記リチウム二次電池が異常充電状態であると判定する判定ステップと、
を含む検出方法。
【請求項６】
前記測定ステップでは、０．０１Ｈｚ以上の範囲の前記インピーダンスを測定する、請求項５に記載の検出方法。
【請求項７】
前記測定ステップでは、０．１Ｈｚ以上の範囲の前記インピーダンスを測定する、請求項５又は６に記載の検出方法。
【請求項８】
請求項５〜７のいずれか１項に記載の検出方法であって、
前記判定ステップで前記リチウム二次電池が異常充電状態であると判定したあと、充電用の外部電源と前記リチウム二次電池との間の電気的接続を遮断する中断ステップ、を含む検出方法。
【発明の詳細な説明】
【技術分野】
【０００１】
本発明は、検出装置及び検出方法に関し、より詳しくは、リチウム二次電池の状態を検出する検出装置及び検出方法に関する。
【背景技術】
【０００２】
従来、この種の検出装置としては、密閉型鉛蓄電池の充電時の内部インピーダンス又は単位時間あたりの内部インピーダンスの変化量が規定値を超えたときこれを検出して充電を制御するものが提案されている（例えば、特許文献１参照）。
【先行技術文献】
【特許文献】
【０００３】
【特許文献１】特開平１０−９２４７３号公報
【発明の概要】
【発明が解決しようとする課題】
【０００４】
しかしながら、上述の特許文献１の検出方法では、内部インピーダンスを測定するものであるが、鉛蓄電池を測定するものであり、リチウム二次電池の充電については検討されていなかった。リチウム二次電池の充電において、過充電をより抑制することが望まれていた。
【０００５】
本発明は、このような課題に鑑みなされたものであり、リチウム二次電池の過充電をより抑制することができる検出装置及び検出方法を提供することを主目的とする。
【課題を解決するための手段】
【０００６】
上述した目的を達成するために鋭意研究したところ、本発明者らは、特定範囲の周波数のインピーダンスを充電中に測定することにより、リチウム二次電池の過充電をより抑制することができることを見いだし、本発明を完成するに至った。
【０００７】
即ち、本発明の検出装置は、
リチウム二次電池の状態を検出する検出装置であって、
前記リチウム二次電池の１０Ｈｚ以下の所定周波数のインピーダンスを測定する測定部と、
前記リチウム二次電池を充電している期間中、前記測定部から前記リチウム二次電池の前記インピーダンスを入力し、入力した該インピーダンスが所定の閾値を超えたときには前記リチウム二次電池が異常充電状態であると判定する判定制御部と、
を備えたものである。
【０００８】
本発明の検出方法は、
リチウム二次電池の状態を検出する検出方法であって、
前記リチウム二次電池の１０Ｈｚ以下の所定周波数のインピーダンスを測定する測定ステップと、
前記リチウム二次電池を充電している期間中、前記測定ステップで測定した前記リチウム二次電池の前記インピーダンスを入力し、入力した該インピーダンスが所定の閾値を超えたときには前記リチウム二次電池が異常充電状態であると判定する判定ステップと、
を含むものである。
【発明の効果】
【０００９】
本発明は、リチウム二次電池の過充電をより抑制することができる。このような効果が得られる理由は、以下のように推察される。例えば、リチウム二次電池の１０Ｈｚ以下におけるインピーダンスの抵抗は、電池の反応抵抗を反映すると考えられる。一方、リチウム二次電池が過充電状態に至ると活物質の変質などによりこの反応抵抗が上昇する。本発明では、この反応抵抗の上昇を所定周波数でのインピーダンスの抵抗により検出し、過充電状態の判定に用いることにより、過充電をより抑制することができる。
【図面の簡単な説明】
【００１０】
【図１】リチウム二次電池１０及び充電装置３０の構成の概略の一例を示す構成図。
【図２】異常検出充電処理ルーチンの一例を示すフローチャート。
【図３】充電期間中に測定したＳＯＣに対する抵抗値の関係図。
【図４】ＳＯＣ１００％でのインピーダンススペクトル。
【図５】電池平衡状態でのＳＯＣに対する抵抗値の関係図。
【発明を実施するための形態】
【００１１】
本発明のリチウム二次電池の状態を検出する検出方法は、リチウム二次電池の状態に関する測定を行う測定ステップと、リチウム二次電池の異常充電状態を判定する判定ステップと、を含む。また、この検出方法において、判定ステップのあと、充電を中断する中断ステップ、を更に含むものとしてもよい。あるいは、判定ステップのあと、異常充電状態を報知する報知ステップを更に含むものとしてもよい。この検出方法において、中断ステップと報知ステップとを両方含むものとしてもよい。なお、充電対象であるリチウム二次電池については、詳しくは後述する。
【００１２】
測定ステップでは、リチウム二次電池の１０Ｈｚ以下の所定周波数のインピーダンスを測定する。１０Ｈｚ以下の周波数のインピーダンスはリチウム二次電池の過充電状態に影響されるため、この範囲のインピーダンスを測定することが好ましい。この測定ステップでは、０．０１Ｈｚ以上の範囲のインピーダンスを測定するものとしてもよいし、０．１Ｈｚ以上の範囲のインピーダンスを測定するものとしてもよい。また、場合によっては、０．１Ｈｚ以下の範囲のインピーダンスを測定するものとしてもよい。インピーダンスの周波数が小さくなると、得られる抵抗値は大きくなるが、ノイズも大きくなる。したがって、得られる抵抗値と正確性とを比較考量し、異常充電状態を判定する所定周波数を設定することが好ましい。また、測定ステップでは、例えば、振幅電流を０．００１Ｃ以上０．５Ｃ以下の範囲としてもよく、０．０１Ｃ以上０．２Ｃ以下の範囲としてもよく、０．０２Ｃ以上０．１Ｃ以下の範囲としてもよい。例えば、電池容量が大きくなれば、振幅電流をより大きくしたり、電池抵抗が低くなれば、振幅電流を小さくするなど、電池容量や電池抵抗などに応じて振幅電流を適宜設定するものとすればよい。
【００１３】
検出ステップでは、リチウム二次電池を充電している期間中、測定ステップで測定したリチウム二次電池のインピーダンスを入力し、入力したインピーダンスが所定の閾値を超えたときにはリチウム二次電池が異常充電状態であると判定する。この検出ステップにおいて、異常充電状態を判定する所定の閾値は、例えば、蓄電量ＳＯＣ１００％での測定値を１に規格化したときに、１．２や１．５、２．０などに設定することができる。即ち、測定したインピーダンスの抵抗値が、ＳＯＣ１００％での抵抗値の１．２倍や１．５倍、２倍になったときに異常充電状態であると判定するものとしてもよい。また、測定に用いる周波数においてノイズがある場合は、所定の閾値を複数回超えたときに異常充電状態であると判定するものとしてもよい。
【００１４】
中断ステップでは、判定ステップでリチウム二次電池が異常充電状態であると判定したあと、充電用の外部電源とリチウム二次電池との間の電気的接続を解除する。こうすれば、過充電状態を継続してしまうのを防止することができる。このとき、電気的接続の接続、解除を行うスイッチング部により電気的接続を解除するものとしてもよい。また、報知ステップでは、使用者へ異常充電状態である旨報知する。この報知ステップでは、異常充電状態であることを画面表示して報知するものとしてもよいし、音（音声など）により報知するものとしてもよい。
【００１５】
次に、本発明を具現化した一実施形態について図面を用いて説明する。図１は本実施形態であるリチウム二次電池１０及び充電装置３０の構成の概略の一例を示す構成図である。本実施形態の充電装置３０は、リチウム二次電池１０を充電する装置である。この充電装置３０は、図１に示すように、所定周波数のインピーダンスを測定などする測定部３３と、充電装置３０全体を制御する判定制御部３４と、外部電源３１との電気的接続を解除するスイッチング部３５と、使用者からの指示を入力などする表示入力部３６とを備えている。本発明の検出装置４０は、測定部３３、判定制御部３４及びスイッチング部３５により構成されている。この充電装置３０は、上述した検出方法のいずれかの態様を採用してリチウム二次電池１０の充電処理を行うことができる。
【００１６】
測定部３３は、例えば、リチウム二次電池１０の電圧、電流及びインピーダンスなどリチウム二次電池１０を測定するユニットである。測定部３３は、リチウム二次電池１０の１０Ｈｚ以下の所定周波数のインピーダンスを測定する。この測定部は、０．０１Ｈｚ以上の範囲のインピーダンスを測定するものとしてもよいし、０．１Ｈｚ以上の範囲のインピーダンスを測定するものとしてもよい。また、場合によっては、０．１Ｈｚ以下の範囲のインピーダンスを測定するものとしてもよい。インピーダンスの周波数が小さくなると、得られる抵抗値は大きくなるが、ノイズも大きくなる。したがって、得られる抵抗値と正確性とを比較考量し、異常充電状態を判定する所定周波数を設定することが好ましい。
【００１７】
判定制御部３４は、ＣＰＵを中心とするマイクロプロセッサとして構成されており、一時的にデータを記憶したりデータを保存したりするＲＡＭと、各種処理プログラムを記憶しデータを書き込み消去可能なフラッシュメモリなどの記憶部と、図示しない入出力ポートとを備えている。なお、記憶部には、後述する異常検出充電処理ルーチンなどの各処理プログラムや処理に用いられる閾値などが記憶されている。この判定制御部３４には、測定部３３から入力した検出信号などが入力ポートを介して入力される。また、判定制御部３４からは、スイッチング部３５や、表示入力部３６への制御信号などが図示しない出力ポートを介して出力される。この判定制御部３４は、スイッチング部３５を制御し、外部電源３１から供給された電力によりリチウム二次電池１０を充電する処理を行う。また、判定制御部３４は、リチウム二次電池１０を充電している期間中、測定部３３からリチウム二次電池２０のインピーダンスを入力し、入力したインピーダンスが所定の閾値を超えたときにはリチウム二次電池１０が異常充電状態であると判定する処理を実行する。また、判定制御部３４は、リチウム二次電池１０が異常充電状態であると判定すると、電気的接続を解除するようスイッチング部３５を制御する。
【００１８】
スイッチング部３５は、充電用の外部電源とリチウム二次電池１０との間を電気的に接続、解除可能なスイッチである。表示入力部３６は、充電装置３０に関する各種情報を表示する表示部と、使用者からの入力操作を受け付ける操作部とを備えている。
【００１９】
次に、充電対象としてのリチウム二次電池１０について説明する。リチウム二次電池は、リチウムイオンを吸蔵・放出しうる正極活物質を有する正極と、リチウムイオンを吸蔵・放出しうる負極活物質を有する負極と、正極と負極との間に介在しリチウムイオンを伝導するイオン伝導媒体と、を備えているものとしてもよい。
【００２０】
リチウム二次電池の正極は、例えば正極活物質と導電材と結着材とを混合し、適当な溶剤を加えてペースト状の正極材としたものを、集電体の表面に塗布乾燥し、必要に応じて電極密度を高めるべく圧縮して形成してもよい。正極活物質としては、リチウムと遷移金属元素とを含む酸化物などを用いることができる。具体的には、基本組成式をＬｉ(1-x)ＭｎＯ2（０＜ｘ＜１など、以下同じ）やＬｉ(1-x)Ｍｎ2Ｏ4などとするリチウムマンガン複合酸化物、基本組成式をＬｉ(1-x)ＣｏＯ2などとするリチウムコバルト複合酸化物、基本組成式をＬｉ(1-x)ＮｉＯ2などとするリチウムニッケル複合酸化物、基本組成式をＬｉ(1-x)ＮｉaＣｏbＭｎcＯ2（ａ＞０、ｂ＞０、ｃ＞０、ａ＋ｂ＋ｃ＝１）などとするリチウムニッケルコバルトマンガン複合酸化物、基本組成式をＬｉＶ2Ｏ3などとするリチウムバナジウム複合酸化物、基本組成式をＶ2Ｏ5などとする遷移金属酸化物などを用いることができる。これらのうち、リチウムの遷移金属複合酸化物が好ましい。なお、「基本組成式」とは、他の元素、例えば、ＡｌやＭｇなどの成分を含んでもよい趣旨である。
【００２１】
負極は、例えば負極活物質と導電材と結着材とを混合し、適当な溶剤を加えてペースト状の負極材としたものを、集電体の表面に塗布乾燥し、必要に応じて電極密度を高めるべく圧縮して形成してもよい。負極活物質としては、リチウムイオンを吸蔵・放出可能な炭素質材料、導電性ポリマー、チタン化合物及び珪素化合物などが挙げられる。炭素質材料は、特に限定されるものではないが、コークス類、ガラス状炭素類、グラファイト類、難黒鉛化性炭素類、熱分解炭素類、炭素繊維などが挙げられ、このうち、人造黒鉛、天然黒鉛などのグラファイト類が好ましい。
【００２２】
イオン伝導媒体としては、支持塩を含む非水系電解液や非水系ゲル電解液などを用いることができる。非水電解液の溶媒としては、エチレンカーボネートなどの環状カーボネート類や、ジメチルカーボネートなどの鎖状カーボネート類、γ−ブチルラクトンなどの環状エステル類、ギ酸メチルなどの鎖状エステル類、ジメトキシエタンなどのエーテル類、アセトニトリルなどのニトリル類、テトラヒドロフランなどのフラン類、スルホランなどのスルホラン類、１，３−ジオキソランなどのジオキソラン類などが挙げられる。これらを単独又は混合して用いることができる。支持塩は、例えば、ＬｉＰＦ6、ＬｉＢＦ4、ＬｉＡｓＦ6、ＬｉＣｌＯ4などの無機塩、及びＬｉＣＦ3ＳＯ3、ＬｉＮ（ＣＦ3ＳＯ2）2、ＬｉＣ（ＣＦ3ＳＯ2）3などの有機塩などが挙げられる。また、液状のイオン伝導媒体の代わりに、イオン伝導性ポリマー、無機固体電解質あるいは有機ポリマー電解質と無機固体電解質の混合材料、若しくは有機バインダーによって結着された無機固体粉末などを利用することができる。
【００２３】
セパレータは、リチウム二次電池の使用範囲に耐えうる組成であれば特に限定されないが、例えば、ポリプロピレン製不織布などの高分子不織布、ポリエチレンなどのオレフィン系樹脂の薄い微多孔膜が挙げられる。これらは単独で用いてもよいし、複数を混合して用いてもよい。
【００２４】
このリチウム二次電池の形状は、特に限定されないが、例えばコイン型、ボタン型、シート型、積層型、円筒型、偏平型、角型などが挙げられる。また、電気自動車等に用いる大型のものとしてもよい。図１に示すように、リチウム二次電池１０は、集電体１１に正極活物質１２を形成した正極シート１３と、集電体１４の表面に負極活物質１７を形成した負極シート１８と、正極シート１３と負極シート１８との間に設けられたセパレータ１９と、正極シート１３と負極シート１８の間を満たす非水電解液２０と、を備えたものである。このリチウム二次電池１０では、正極シート１３と負極シート１８との間にセパレータ１９を挟み、これらを捲回して円筒ケース２２に挿入し、正極シート１３に接続された正極端子２４と負極シートに接続された負極端子２６とを配設して形成されている。
【００２５】
次に、こうして構成された本実施形態の充電装置３０の動作、特に、リチウム二次電池１０を充電する処理について説明する。まず、使用者は、充電装置３０の所定位置にリチウム二次電池１０をセットし、表示入力部３６を操作し、充電を開始させる。図２は、判定制御部３４のＣＰＵが実行する異常検出充電処理ルーチンの一例を示すフローチャートである。充電処理が開始されると、判定制御部３４は、まず、スイッチング部３５により、外部電源３１とリチウム二次電池１０とを電気的に接続させ（ステップＳ１００）、所定の充電条件（電圧、電流）によりリチウム二次電池１０の充電処理を実行する（ステップＳ１１０）。
【００２６】
次に、判定制御部３４は、測定部３３により電圧及び電流を測定し（ステップＳ１２０）、所定周波数のインピーダンスを測定する（ステップＳ１３０）。所定周波数は、１０Ｈｚ以下の範囲とし、０．０１Ｈｚ以上の範囲としてもよいし、０．１Ｈｚ以上の範囲としてもよい。次に、判定制御部３４は、充電中におけるリチウム二次電池１０の電圧、電流は正常であるか否かを判定する（ステップＳ１４０）。電圧及び電流が正常であるときには、判定制御部３４は、測定したインピーダンスが正常であるか否かを所定の閾値を超えるか否かに基づいて判定する（ステップＳ１５０）。所定の閾値は、例えば、ＳＯＣ１００％での測定値を１に規格化したときに、１．２や１．５などに設定することができる。インピーダンスの抵抗値が所定の閾値を超えないとき、即ち正常であるときには、判定制御部３４は、充電が終了したか否かを判定する（ステップＳ１６０）。充電が終了していないときには、ステップＳ１１０以降の処理を繰り返し実行する。一方、充電処理が終了したときには、外部電源との電気的接続を解除し（ステップＳ１７０）、そのままこのルーチンを終了する。
【００２７】
一方、ステップＳ１４０で電圧及び電流の少なくとも一方が正常でないとき、または、ステップＳ１５０でインピーダンスの抵抗値が正常でないときには、判定制御部３４は、スイッチング部３５により外部電源との電気的接続を解除し（ステップＳ１８０）、表示入力部３６により異常充電状態を使用者へ報知させ（ステップＳ１９０）、このルーチンを終了する。
【００２８】
以上詳述した本発明の検出方法、充電装置では、リチウム二次電池の過充電をより抑制することができる。このような効果が得られる理由は、以下のように推察される。例えば、リチウム二次電池の１０Ｈｚ以下におけるインピーダンスの抵抗は、電池の反応抵抗を反映すると考えられる。一方、リチウム二次電池が過充電状態に至ると活物質の変質などによりこの反応抵抗が上昇する。本発明では、この反応抵抗の上昇を所定周波数でのインピーダンスの抵抗により検出し、過充電状態の判定に用いることにより、過充電をより抑制することができる。
【００２９】
なお、本発明は上述した実施形態に何ら限定されることはなく、本発明の技術的範囲に属する限り種々の態様で実施し得ることはいうまでもない。
【００３０】
例えば、上述した実施形態では、充電装置３０及び充電装置３０で実行される異常検出充電処理ルーチンとして説明したが、検出装置４０及び異常検出処理ルーチンとしてもよい。この検出装置４０では、異常充電状態であることを判定した判定結果を利用することにより、リチウム二次電池の過充電をより抑制することができる。なお、検出装置４０は、スイッチング部３５を備えるものとしたが、これを省略してもよい。
【００３１】
上述した実施形態では、リチウム二次電池１０の電圧、電流によっても異常充電状態（過充電状態）であるか否かを判定するものとしたが、これを省略してもよい。なお、複数の方法によって異常充電状態を検出する方が、より確実に過充電を抑制することができ好ましい。
【実施例】
【００３２】
以下には、本発明の検出方法を具体的に検討した例を実施例として説明する。なお、本発明は下記の実施例に何ら限定されることはなく、本発明の技術的範囲に属する限り種々の態様で実施し得ることはいうまでもない。
【００３３】
［リチウム二次電池］
充電を行うリチウム二次電池を作製した。正極は、以下のように作製した。正極活物質のＬｉＮｉ0.75Ｃｏ0.15Ａｌ0.05Ｍｇ0.05Ｏ2を８５質量部、導電材のカーボンブラックを１０質量部、結着材のポリフッ化ビニリデン（ＰＶｄＦ）を５質量部を、溶媒としてのＮ−メチル−２−ピロリドン（ＮＭＰ）と共に混練し、正極合材とした。正極集電体としての１５μｍ厚のアルミニウム箔に正極合材を塗布、乾燥し、正極シートとした。また、負極は、結着材のポリ塩化ビニリデン（ＰＶｄＦ）を５質量部、負極活物質の黒鉛を９５質量部を、溶媒としてＮ−メチルピロリドンと共に混練し、負極合材とした。負極集電体としての銅箔に負極合材を塗布、乾燥し、負極シートとした。非水電解液として、エチレンカーボネート（ＥＣ）と、エチルメチルカーボネート（ＥＭＣ）と、ジメチルカーボネート（ＤＭＣ）とを体積比で３：４：３で混合した溶媒に、支持塩としてのＬｉＰＦ6を１．０ｍｏｌ／Ｌとなるよう含有させたものを用いた。正極シートと負極シートとを、ポリプロピレン多層膜のセパレーターを介して捲回し、上記非水電解液と共に円筒形電池容器に収容した。その後、この電池容器の開口部を気密に封止し、図１に示す構造のリチウム二次電池１０を得た。
【００３４】
［過充電評価試験］
作製したリチウム二次電池をＳＯＣ１００％まで充電したのち振幅電流０．１ｍＡ、周波数０．１Ｈｚを重畳させながら電池容量の２倍量の電流値（２Ｃ）で過充電を行った結果を実施例１とした。また、周波数１０Ｈｚで実験を行った以外は実施例１と同様にリチウム二次電池の過充電を行った結果を実施例２とした。また、周波数１ｋＨｚで実験を行った以外は実施例１と同様にリチウム二次電池の過充電を行った結果を比較例１とした。
【００３５】
（結果と考察）
図３は、充電期間中に測定したＳＯＣに対する抵抗値の関係図である。図３の横軸は電池の蓄電量ＳＯＣ（％）、縦軸は、０．１Ｈｚ抵抗、１０Ｈｚ抵抗、１ｋＨｚ抵抗の推移を示した。実施例１では、ＳＯＣ１００％を超え、さらには、１５０％を超えると０．１Ｈｚ抵抗が大きく変動した。また、実施例２では、ＳＯＣ１３０％付近で急激に１０Ｈｚ抵抗が上昇した。一方、比較例１の周波数１ｋＨｚでは、ＳＯＣ１００〜２００％の範囲では、顕著な抵抗増加は観測されなかった。このように、リチウム二次電池では、０．１Ｈｚ〜１０Ｈｚの抵抗を重畳させてそれをモニターすることにより、リチウム二次電池の電極反応の反応抵抗が変動するため、電池が異常状態に遷移することを判定できることがわかった。リチウム二次電池の過充電状態を判定する閾値としては、例えば、ＳＯＣ１００％での抵抗値を１に規格化したときに、１．２や１．５、２．０などに設定することができる。また、測定に用いる周波数においてノイズがある場合は、閾値を複数回超えたときに過充電状態に判定するものとしてもよい。
【００３６】
図４は、実施例のリチウム二次電池におけるＳＯＣ１００％でのインピーダンススペクトルである。このリチウム二次電池のＡＣインピーダンススペクトルは、図４に示すように、２円弧出現した。この高周波側の抵抗Ｒ１は主に負極抵抗に由来し、低周波側の抵抗Ｒ２は主に正極抵抗に由来すると報告されている（電気化学会第７３階大会３Ｋ２２、佐々木ら）。そこで、ＳＯＣ１００〜２００％の範囲で、充電中ではなく、リチウム二次電池の平衡状態でＡＣインピーダンス測定を行い、測定結果のスペクトルをフィッティングし、正負極の抵抗を見積もった。図５は、電池平衡状態でのＳＯＣに対する抵抗値の関係図である。電池平衡状態でのＡＣインピーダンススペクトルの測定は、振幅電圧５ｍＶで、測定周波数を１００ｋＨｚ〜０．０１Ｈｚとして行った。図５に示すように、インピーダンス測定では、正極の抵抗変動が大きく、主に正極の過充電状態を検出することができることがわかった。
【符号の説明】
【００３７】
１０  リチウム二次電池、１１  集電体、１２  正極活物質、１３  正極シート、１４  集電体、１７  負極活物質、１８  負極シート、１９  セパレータ、２０  非水電解液、２２  円筒ケース、２４  正極端子、２６  負極端子、３０  充電装置、３１  外部電源、３３  測定部、３４  判定制御部、３５  スイッチング部、３６  表示入力部、４０  検出装置。
【図１】
0006658103.tif 000002
【図２】
0006658103.tif 000003
【図３】
0006658103.tif 000004
【図４】
0006658103.tif 000005
【図５】
0006658103.tif 000006